(57)【要約】【課題】静置時にバッグを自動的に自立さす事によって、バッグに内容物が入っていない場合でも、物を出し入れする時、片手でバッグを支える事なく、両手を使って作業ができる様に、物の出し入れをやり易くすると共に、柔軟な材質で作られたバッグであっても、バッグが折れ曲がる事がなく、常にバッグが自立し、外観の見栄えがよいバッグを提供する。【解決手段】柔軟な材質で構成されたバッグ本体（１）の右側面（２ａ）及び左側面（２ｂ）の内面に、弾性物質による自立版（３）を１個または複数個を直接固着するかまたは、自立版（３）を固着した裏地（４）を固着する。【選択図】        図１
2004217255.tif 000002
【特許請求の範囲】
【請求項１】
柔軟な材質で構成されたバッグ本体（１）の右側面（２ａ）及び左側面（２ｂ）の内面に、１個または複数個の弾性物質による自立版（３）を固着したことを特徴とする自動的に自立するバッグ。
【発明の詳細な説明】
【０００１】
【発明が属する技術分野】
本発明は、柔軟な材質で作られたバッグにおいて、バッグに内容物を満量挿入していない場合でも、常に自動的に自立するので、物品の出し入れがし易く、見た目にスマ−トさを感じさせる自動的に自立するバッグに関するものである。
【０００２】
【従来の技術】
従来より、手軽に持ち運べる柔軟なバッグはあるが、自動的に自立するバッグはなかった。
従来品には、自立するバッグはあったが、自立さすためには、手等によって自立の操作をしなければならなかった。自立さす時は、自立板を函体の側部内面に沿って手又は器具等で立てなければならない。自立を取りやめる時は、自立板を函体の底部に手又は器具等で寝かせなければならなく、常に自動的に自立するバッグはなかった。（例えば、特許文献１参照）
【０００３】
【特許文献１】
特開平１１−１０５８８７号公報
【０００４】
【発明が解決しようとする課題】
本発明は、従来技術のこれらの欠点を解決するためになされたもので、柔軟な材質のバッグであっても、自動的に自立さす事によって、バッグの販売時は、内容物が入っていないバッグを販売用陳列棚に陳列する時、バッグを自立さし、折れ曲がることを防止するために新聞紙等の詰め物を施す必要がない。バッグの使用時は、物を出し入れする時、バッグが折れ曲がることがないので、片手でバッグを支える必要がなく、両手を使って出し入れ等の作業ができるので、物の出し入れをし易くする。またバッグは常に正立するので、静置時は、バッグが折れ曲がる事がなく、外観の見栄えがよいバッグを提供することを目的とするものである。
【０００５】
【課題を解決するための手段】
本発明は、上記課題を解決するために、柔軟な材質で構成されたバッグ本体（１）の右側面（２ａ）及び左側面（２ｂ）の内面に、弾性物質による自立版（３）を１個または複数個を直接固着するかまたは、自立版（３）を固着した裏地（４）を固着したことを特徴とするものである。
【０００６】
【発明の実施の形態】
柔軟な材質のバッグであっても、自動的に自立さす事によって、バッグの販売時は、内容物が入っていないバッグを販売用陳列棚に陳列する時、バッグを自立さし、折れ曲がることを防止するために新聞紙等の詰め物を施す必要がない。バッグの使用時は、物を出し入れする時、バッグが折れ曲がることがないので、片手でバッグを支える必要がなく、両手を使って出し入れ等の作業ができるので、物の出し入れをし易くする。またバッグは常に正立するので、静置時は、バッグが折れ曲がる事がなく、外観の見栄えがよいバッグを提供すると言う目的をバッグ本体の左右側面に自立板を固着する事により実現した。
【０００７】
【実施例】
次に、本発明の実施例を図面に従って説明すると、図１は、本発明バッグの１実施例を示す斜視図であって、バッグ本体（１）の右側面（２ａ）と左側面（２ｂ）には、弾性を有する自立版（３）を１個又は複数個固着したので、バッグ本体（１）のチャック（５）を閉じた状態では、自立版（３）の弾力が、バッグ本体（１）の側面が外側へ張り出す様に働いて、正立する。又チャック（５）をスライドして、上面（６）を開放した時、自立版（３）は、弾性を有すので直立する力が働き、右側面（２ａ）及び左側面（２ｂ）は、直立する方向に稼動して、バッグ本体（１）は、側面で折れ曲がることなく、自動的に自立する。
【０００８】
この時、バッグ本体（１）に物を出し入れすると、バッグ本体（１）の上面（６）や右側面（２ａ）及び左側面（２ｂ）等を手で支持することを必要とせず、両手を物の出し入れ作業に自由に使える効果がある。
【０００９】
自立版（３）を右側面（２ａ）及び左側面（２ｂ）に固着する方法としては、自立版（３）を右側面（２ａ）及び左側面（２ｂ）の内面に直接縫合するか、接着剤で接着してもよい。また、溶着してもよい。
【００１０】
図２は、図１のＡａ−Ａｂ断面図であり、図３は、図２の裏地（４）と自立板（３）とテープ（７）の関係を示す図であって、上記以外の固着方法としては、図３に示す様に、自立板（３）を裏地（４）の上に乗せ、自立板（３）よりも左右上下共、やや大きいテープ（７）で、自立版（３）を覆い、裏地（４）とテープ（７）を糸（９）で自立板（３）を囲む様に縫合して、自立板（３）を裏地（４）に固着する。自立板（３）を１個又は複数個固着した裏地（４）を右側面（２ａ）及び左側面（２ｂ）に縫合することで、自立板（３）を右側面（２ａ）及び左側面（２ｂ）に各々１個又は、複数個固着する。
【００１１】
自立版（３）の形状は、図４に示す様な平面が長方形のものであっても良いが、図５に示す様に平面を縁取りした長方形の平面状のものであってもよい。
【００１２】
又、自立板（３）は、図６に示す構造であってもよい。細棒集合体（１０）は、細棒（１１）を１個又は複数個集め、布（１２）で巻いて加熱圧着等により圧着し、１個又は複数個の細棒（１１）と布（１２）を一体的に固定したものである。自立板（３）は、キャップ（１３）の挿入口（１４）に細棒集合体（１０）の左右の切り込み口（１５）を各々はめ込んで、一体的に固着した構造である。
【００１３】
【発明の効果】
本発明は、以上の様な構成であるから、これを使用する時は、柔軟な材質のバッグであっても、自動的に自立するので、バッグの販売時は、内容物が入っていないバッグを販売用陳列棚に陳列する時、バッグの折れ曲がりを防止し、自立さすために新聞紙等の詰め物を施す必要がないという効果がある。バッグの使用時は、物を出し入れする時、バッグが折れ曲がることがないので、片手でバッグを支える必要がなく、両手を使って出し入れ等の作業ができるので、物の出し入れをし易くするという効果がある。また静置時は、バッグが折れ曲がる事がなく、常に正立するので、常に見栄えがよい外観を保つという効果がある。
【図面の簡単な説明】
【図１】本発明のバッグ本体を示す斜視図である。
【図２】図１のＡａ−Ａｂ断面図である。
【図３】本発明バッグの裏地に自立板を縫合した状態を示す平面図である。
【図４】本発明バッグの自立板の１実施例を示す斜視図である。
【図５】本発明バッグの自立板の他の実施例を示す斜視図である。
【図６】本発明バッグの自立板の他の実施例を示すもので、自立板を（ａ）、（ｂ）、（ｃ）の３分割にして表示した斜視図である。（ａ）は、自立板の左側に位置するキャップを示す斜視図である。（ｂ）は、自立板の本体である細棒集合体を示す斜視図である。（ｃ）は、自立板の右側に位置するキャップを示す斜視図である。
【符号の説明】
１      バッグ本体
２ａ    右側面
２ｂ    左側面
３      自立板
４      裏地
７      テープ
【図１】
2004217255.tif 000003
【図２】
2004217255.tif 000004
【図３】
2004217255.tif 000005
【図４】
2004217255.tif 000006
【図５】
2004217255.tif 000007
【図６】
2004217255.tif 000008